(57)【要約】【課題】スライド収納部材の取付位置を容易に変更することができる収納システム構造を提供する。【解決手段】収納システム構造１０は、一対の内側面１１の同一高さにおいて、一対の内側面１１のそれぞれに、一対の棚柱１２のそれぞれの係合部１３に着脱可能に係合したレール部材１４が前後方向に延びるように設けられていると共に、一対の内側面１１に設けられた左右一対のレール部材１４間に、前後方向にスライド可能にスライド収納部材１８が設けられている。【選択図】図２
2017086324.tif 000002
【特許請求の範囲】
【請求項１】
左右方向に間隔をおいて対向するように平行に設けられた一対の内側面と、
前記一対の内側面のそれぞれに、前後方向に間隔をおいて上下方向に延びるように平行に設けられ、各々、長さ方向に間隔をおいて複数の係合部が構成された一対の棚柱と、
を備え、
前記一対の内側面の同一高さにおいて、前記一対の内側面のそれぞれに、前記一対の棚柱のそれぞれの前記係合部に着脱可能に係合したレール部材が前後方向に延びるように設けられていると共に、前記一対の内側面に設けられた前記左右一対のレール部材間に、上方に開口したスライド収納部材が、前記左右一対のレール部材に案内されることにより前後方向にスライド可能に設けられていることを特徴とする収納システム構造。
【請求項２】
請求項１に記載された収納システム構造において、
前記スライド収納部材は、最後位置に押し入れられた状態で、その開口が露出していることを特徴とする収納システム構造。
【請求項３】
請求項１又は２に記載された収納システム構造において、
前記スライド収納部材が複数設けられていることを特徴とする収納システム構造。
【請求項４】
請求項３に記載された収納システム構造において、
前記複数のスライド収納部材は、複数種のスライド収納部材を含むことを特徴とする収納システム構造。
【発明の詳細な説明】
【技術分野】
【０００１】
本発明は収納システム構造に関する。
【背景技術】
【０００２】
引き出しの配置を自由に設定することができる収納システム構造が知られている。例えば、特許文献１には、左右一対の側板の内側面の同一高さにおいて、一対の側板の内側面のそれぞれに、引き出し用のレールが取り付けられた板材がビスで固定され、そして、それらの左右一対のレール間に引き出しが設けられた収納システム構造が開示されている。
【先行技術文献】
【特許文献】
【０００３】
【特許文献１】特開２００７−１９５８０２号公報
【発明の概要】
【発明が解決しようとする課題】
【０００４】
ところが、特許文献１に開示された構成では、レールを取り付けた板材をビスで側板に固定しているので、引き出しの取付位置を容易に変更することができないという問題がある。
【０００５】
本発明の課題は、スライド収納部材の取付位置を容易に変更することができる収納システム構造を提供することである。
【課題を解決するための手段】
【０００６】
請求項１に係る発明は、
左右方向に間隔をおいて対向するように平行に設けられた一対の内側面と、
前記一対の内側面のそれぞれに、前後方向に間隔をおいて上下方向に延びるように平行に設けられ、各々、長さ方向に間隔をおいて複数の係合部が構成された一対の棚柱と、
を備え、
前記一対の内側面の同一高さにおいて、前記一対の内側面のそれぞれに、前記一対の棚柱のそれぞれの前記係合部に着脱可能に係合したレール部材が前後方向に延びるように設けられていると共に、前記一対の内側面に設けられた前記左右一対のレール部材間に、上方に開口したスライド収納部材が、前記左右一対のレール部材に案内されることにより前後方向にスライド可能に設けられていることを特徴とする。
【０００７】
請求項１に係る発明によれば、一対の内側面の同一高さにおいて、一対の内側面のそれぞれに、一対の棚柱のそれぞれの係合部に着脱可能に係合したレール部材が前後方向に延びるように設けられており、そして、その一対の内側面に設けられた左右一対のレール部材間に、上方に開口したスライド収納部材が前後方向にスライド可能に設けられているので、レール部材の棚柱への係合位置を変更することにより、スライド収納部材の取付位置を容易に変更することができる。
【０００８】
請求項２に係る発明は、請求項１に記載された収納システム構造において、
前記スライド収納部材は、最後位置に押し入れられた状態で、その開口が露出していることを特徴とする。
【０００９】
請求項２に係る発明によれば、最後位置に押し入れられた状態でも、スライド収納部材の開口が露出している、つまり、最後位置に押し入れられた状態のスライド収納部材の開口を封じる仕切板や天板が設けられていないので、それらによる収納容量の減少を防止することができる。
【００１０】
請求項３に係る発明は、請求項１又は２に記載された収納システム構造において、
前記スライド収納部材が複数設けられていることを特徴とする。
【００１１】
請求項３に係る発明によれば、スライド収納部材が複数設けられているので、それらの配置を自由に変更することにより、場所や容量に応じて種々のシステムレイアウトを構成することができる。
【００１２】
請求項４に係る発明は、請求項３に記載された収納システム構造において、
前記複数のスライド収納部材は、複数種のスライド収納部材を含むことを特徴とする。
【００１３】
請求項４に係る発明によれば、複数のスライド収納部材が複数種のスライド収納部材を含むので、より一層多様なシステムレイアウトを構成することができる。
【発明の効果】
【００１４】
請求項１に係る発明によれば、レール部材の棚柱への係合位置を変更することにより、スライド収納部材の取付位置を容易に変更することができる。
【００１５】
請求項２に係る発明によれば、最後位置に押し入れられた状態のスライド収納部材の開口を封じるための仕切板や天板による収納容量の減少を防止することができる。
【００１６】
請求項３に係る発明によれば、場所や容量に応じて種々のシステムレイアウトを構成することができる。
【００１７】
請求項４に係る発明によれば、より一層多様なシステムレイアウトを構成することができる。
【図面の簡単な説明】
【００１８】
【図１】実施形態１に係る収納システム構造の正面図である。
【図２】実施形態１に係る収納システム構造の右側の内側面の正面図である。
【図３Ａ】棚柱の内側面への設置構造を示す断面図である。
【図３Ｂ】棚柱の内側面への設置構造の変形例を示す断面図である。
【図４】スライドバスケット用のレール部材の斜視図である。
【図５】スライドバスケット用のレール部材の棚柱への係合構造を示す図である。
【図６】実施形態２に係る収納システム構造の正面図である。
【図７】実施形態２に係る収納システム構造の右側の内側面の正面図である。
【図８】引き出し用のレール部材の斜視図である。
【図９】引き出し用のレール部材の棚柱への係合構造を示す図である。
【発明を実施するための形態】
【００１９】
以下、実施形態について図面に基づいて詳細に説明する。
【００２０】
（実施形態１）
図１及び２は、実施形態１に係る収納システム構造１０を示す。この実施形態１に係る収納システム構造１０は、例えば、タンスなどの置き家具や住宅のウォーキングインクローゼットなどの造り付け家具等に設けられるものである。なお、以下における左右方向及び前後方向は収納システム構造１０の正面を基準とする。
【００２１】
実施形態１に係る収納システム構造１０は、前面が開口し且つ後面が閉じられた縦長の直方体空間に構成されており、左右方向に間隔をおいて対向するように平行に設けられた一対の内側面１１を備える。この内側面１１は、例えば、板材の表面や住宅の壁面で構成される。
【００２２】
実施形態１に係る収納システム構造１０は、一対の内側面１１のそれぞれに、前後方向に間隔をおいて上下方向に延びるように平行に設けられた一対の棚柱１２を備える。棚柱１２は、図３Ａに示すように、断面コの字状の金属部材で構成され、そして、内側面１１に形成されたコの字溝１１ａに開口同士が対向するように嵌め入れられると共に、その一部が内側面１１から突出するように設けられている。なお、棚柱１２は、図３Ｂに示すように、内側面１１と面一になるように設けられていてもよい。
【００２３】
棚柱１２には、長さ方向に間隔をおいて一定ピッチで複数の縦長孔の係合部１３が構成されている。左右一対の内側面１１に設けられた合計４本の棚柱１２では、上下方向の係合部１３の配設位置が相互に揃えられており、従って、４本の棚柱１２の４個の係合部１３が同一高さに位置付けられている。
【００２４】
実施形態１に係る収納システム構造１０では、一対の内側面１１の同一高さにおいて、左右一対のスライドバスケット用のレール部材１４が上下方向に間隔をおいて３組設けられている。
【００２５】
図４は、スライドバスケット用のレール部材１４を示す。
【００２６】
このスライドバスケット用のレール部材１４は、前後方向に延びる正面側に開口した断面コの字状のレール本体１５を有し、そのレール本体１５の背面側に長さ方向に沿って角材で構成された支持材１６が取り付けられ、また、その支持材１６の長さ方向に間隔をおいて一対の係合具１７が取り付けられている。係合具１７には、上下方向に配置された一対のフック形状の係合爪１７ａが背面側に突出するように設けられている。一対の係合具１７の係合爪１７ａ間の間隔は、一対の棚柱１２の係合部１３間の間隔に等しくなるように設定されている。
【００２７】
レール部材１４は、一対の内側面１１のそれぞれにおいて、図５に示すように、前側及び後側の係合具１７の一対の係合爪１７ａが、内側面１１に設けられたそれぞれ対応する前側及び後側の棚柱１２の連続する一対の係合部１３に着脱可能に係合している。レール部材１４が係合する前側及び後側の棚柱１２の係合部１３は同一高さであり、従って、レール部材１４は、前後方向に水平に延びるように設けられている。また、左右一対のレール部材１４は、レール本体１５の開口同士が対向するように設けられている。
【００２８】
実施形態１に係る収納システム構造１０では、一対の内側面１１に設けられた上側、中間、及び下側の３組のそれぞれの左右一対のスライドバスケット用のレール部材１４間に、上方に開口したスライドバスケット１８（スライド収納部材）が設けられている。具体的には、スライドバスケット１８は、開口端に続いて外向きに延びた鍔状の縁部１８ａを有し、左右両側の縁部１８ａがそれぞれ対応するレール部材１４のレール本体１５の開口に前側から差し入れられ、そして、その縁部１８ａがレール本体１５に案内されることにより、前後方向にスライド可能に設けられている。スライドバスケット１８は、最後位置に押し入れられた状態でも、その開口が露出して内容物の確認が可能であり、そして、その開口が露出したままの状態で引き出すことができるように構成されている。
【００２９】
実施形態１に係る収納システム構造１０では、上側のスライドバスケット１８の上方に固定棚１９ａが設けられている。この固定棚１９ａは、一対の内側面１１の４本の棚柱１２の係合部１３に着脱可能に設けられた４個の棚受け具１９ｂにより支持されている。
【００３０】
以上の実施形態１に係る収納システム構造１０によれば、一対の内側面１１の同一高さにおいて、一対の内側面１１のそれぞれに、一対の棚柱１２のそれぞれの係合部１３に着脱可能に係合したレール部材１４が前後方向に延びるように設けられており、そして、その一対の内側面１１に設けられた左右一対のレール部材１４間に、前後方向にスライド可能にスライドバスケット１８が設けられているので、レール部材１４の棚柱１２への係合位置を変更することにより、スライドバスケット１８の取付位置を容易に変更することができる。そのため、場所や容量に応じて変更を加えた収納システム構造１０を容易に構成することができる。また、特に、実施形態１に係る収納システム構造１０では、スライドバスケット１８が複数の３個設けられ、それに加えて固定棚１９ａが１個設けられており、それらの３個のスライドバスケット１８及び１個の固定棚１９ａの配置を自由に変更することにより、場所や容量に応じて種々のシステムレイアウトを構成することができる。
【００３１】
更に、実施形態１に係る収納システム構造１０によれば、最後位置に押し入れられた状態でも、スライドバスケット１８の開口が露出している、つまり、相互に隣接するスライドバスケット１８間及び上側のスライドバスケット１８と固定棚１９ａとの間に、最後位置に押し入れられた状態のスライドバスケット１８の開口を封じる仕切板や天板が設けられていないので、それらによる収納容量の減少を防止することができる。
【００３２】
（実施形態２）
図６及び７は、実施形態２に係る収納システム構造１０を示す。なお、実施形態１と同一名称及び同一構成の部分は、実施形態１と同一符号を用いて表す。
【００３３】
実施形態２に係る収納システム構造１０では、実施形態１において上側のスライドバスケット１８が設けられていた位置に、上下方向に間隔をおいて一対の引き出し２８（スライド収納部材）が設けられており、従って、それらに対応して、一対の内側面１１の同一高さにおいて、左右一対の引き出し用のレール部材２４が上下方向に間隔をおいて２組設けられている。
【００３４】
図８は、引き出し用のレール部材２４を示す。
【００３５】
この引き出し用のレール部材２４は、前後方向に延びるレール本体２５を有し、そのレール本体２５の背面側に長さ方向に沿って板材で構成された支持材２６が取り付けられ、また、その支持材２６の背面側に長さ方向に間隔をおいて一対の係合具２７が取り付けられている。係合具２７には、上下方向に配置された一対のフック形状の係合爪２７ａが背面側に突出するように設けられている。一対の係合具２７の係合爪２７ａ間の間隔は、一対の棚柱１２の係合部１３間の間隔に等しくなるように設定されている。
【００３６】
レール部材２４は、一対の内側面１１のそれぞれにおいて、図９に示すように、前側及び後側の係合具２７の一対の係合爪２７ａが、内側面１１に設けられたそれぞれ対応する前側及び後側の棚柱１２の連続する一対の係合部１３に着脱可能に係合している。レール部材２４が係合する前側及び後側の棚柱１２の係合部１３は同一高さであり、従って、レール部材２４は、前後方向に水平に延びるように設けられている。また、左右一対のレール部材２４は対向するように設けられている。
【００３７】
実施形態２に係る収納システム構造１０では、一対の内側面１１に設けられた上側及び下側の２組のそれぞれの左右一対の引き出し用のレール部材２４間に、上方に開口した引き出し２８が設けられている。具体的には、引き出し２８は、両側面のそれぞれにレール受け具２８ａが設けられており、それらがそれぞれ対応するレール部材２４のレール本体２５に差し入れられ、そして、そのレール受け具２８ａがレール本体２５に案内されることにより、前後方向にスライド可能に設けられている。これらの引き出し２８もまた、スライドバスケット１８と同様、最後位置に押し入れられた状態でも、その開口が露出して内容物の確認が可能であり、そして、その開口が露出したままの状態で引き出すことができるように構成されている。
【００３８】
以上の実施形態２に係る収納システム構造１０によれば、一対の内側面１１の同一高さにおいて、一対の内側面１１のそれぞれに、一対の棚柱１２のそれぞれの係合部１３に着脱可能に係合したスライドバスケット用及び引き出し用のレール部材１４，２４が前後方向に延びるように設けられており、そして、その一対の内側面１１に設けられた左右一対のレール部材１４，２４間に、前後方向にスライド可能にスライドバスケット１８及び引き出し２８が設けられているので、レール部材１４，２４の棚柱１２への係合位置を変更することにより、スライドバスケット１８及び引き出し２８の取付位置を容易に変更することができる。そのため、場所や容量に応じて変更を加えた収納システム構造１０を容易に構成することができる。また、特に、実施形態２に係る収納システム構造１０では、スライドバスケット１８が複数の２個及び引き出し２８も複数の２個設けられ、従って、複数種のスライド収納部材を含み、それに加えて固定棚１９ａが１個設けられており、それらの２個のスライドバスケット１８、２個の引き出し２８、及び１個の固定棚１９ａの配置を自由に変更することにより、場所や容量に応じて実施形態１よりも一層多様な種々のシステムレイアウトを構成することができる。
【００３９】
更に、実施形態２に係る収納システム構造１０によれば、最後位置に押し入れられた状態でも、スライドバスケット１８及び引き出し２８の開口が露出している、つまり、上側及び下側のスライドバスケット１８間、上側のスライドバスケット１８と下側の引き出し２８との間、並びに上側の引き出し２８と固定棚１９ａとの間に、最後位置に押し入れられた状態のスライドバスケット１８及び引き出し２８の開口を封じる仕切板や天板が設けられていないので、それらの仕切板や天板による収納容量の減少を防止することができる。
【００４０】
その他の構成及び作用効果は実施形態１と同一である。
【００４１】
（その他の実施形態）
実施形態１では、スライドバスケット１８及び固定棚１９ａを設けた構成とし、実施形態２では、スライドバスケット１８、引き出し２８、及び固定棚１９ａを設けた構成としたが、特にこれらに限定されるものではなく、固定棚１９ａが設けられていない構成であってもよく、また、スライドバスケット１８及び引き出し２８以外のスライド収納部材が設けられた構成であってもよい。更に、スライド収納部材に加えて、一対の内側面１１のいずれかの前側の棚柱１２の係合部１３に着脱可能に係合して取り付けられた蝶番を介して開き戸が設けられた構成であってもよい。この場合、開き戸の上下方向の取付位置を自由に設定することができると共に、その変更も容易に行うことができる。また、固定棚が設けられていれば、それを開き戸を閉めた際の戸当たりとすることができる。これらのような構成によれば、より一層多様な種々のシステムレイアウトを構成することができる。
【００４２】
実施形態１及び２では、容量が同一の複数のスライドバスケット１８や容量が同一の複数の引き出し２８が設けられた構成としたが、特にこれに限定されるものではなく、容量の異なる複数のスライドバスケットや容量の異なる複数の引き出しが設けられた構成であってもよい。このような構成によっても、より一層多様な種々のシステムレイアウトを構成することができる。
【００４３】
実施形態１及び２では、内側面１１に一対の棚柱１２が設けられた構成としたが、特にこれに限定されるものではなく、３本以上の棚柱１２が設けられた構成であってもよい。
【００４４】
実施形態２では、スライドバスケット用のレール部材１４及び引き出し用のレール部材２４の構造が異なる構成としたが、特にこれに限定されるものではなく、スライドバスケット用及び引き出し用のレール部材が共用できる構成であってもよい。このような構成によれば、多様な種々のシステムレイアウトを構成しつつ、部品点数の低減を図ることができる。
【産業上の利用可能性】
【００４５】
本発明は、収納システム構造の技術分野について有用である。
【符号の説明】
【００４６】
１０  収納システム構造
１１  内側面
１１ａ  コの字溝
１２  棚柱
１３  係合部
１４  レール部材
１５，２５  レール本体
１６，２６  支持材
１７，２７  係合具
１７ａ，２７ａ  係合爪
１８  スライドバスケット（スライド収納部材）
１８ａ  縁部
１９ａ  固定棚
１９ｂ  棚受け具
２８  引き出し（スライド収納部材）
２８ａ  レール受け具
【図１】
2017086324.tif 000003
【図２】
2017086324.tif 000004
【図３Ａ】
2017086324.tif 000005
【図３Ｂ】
2017086324.tif 000006
【図４】
2017086324.tif 000007
【図５】
2017086324.tif 000008
【図６】
2017086324.tif 000009
【図７】
2017086324.tif 000010
【図８】
2017086324.tif 000011
【図９】
2017086324.tif 000012